(57)【要約】【課題】  ファイル共有の利用性を向上可能な携帯電話装置及びそのファイル共有方法を提供すること。【解決手段】  ファイル共有要求を行う場合、通信制御部１４は、自己のＩＰアドレスを含んだショートメッセージを作成し、ショートメッセージサービスを用いて送信する。また、ショートメッセージサービスを用いたファイル共有要求を受信すると、そこから送信元の電話番号を抽出する。また、電話帳アプリケーション２０を起動し、抽出された電話番号が電話帳データベース２２に記憶された電話番号か否かを判断し、記憶されていれば、表示部２６は、電話帳データベース２２においてその抽出した電話番号に対応づけて記憶されている名称を、ファイル共有要求の送信元として、ファイル共有の許可の要否の問い合わせを表示する。【選択図】  図１
2006140790.tif 000002
【特許請求の範囲】
【請求項１】
ショートメッセージサービスを用いて送信されたファイル共有要求を受信する受信手段と、
前記受信したファイル共有要求から、送信元の電話番号を抽出する電話番号抽出手段と、
前記抽出した電話番号を前記ファイル共有要求の送信元として、ファイル共有の許可の要否を示す表示を行う表示手段と、
を備える携帯電話装置。
【請求項２】
請求項１記載の携帯電話装置であって、
電話番号と名称とを対応付けて記憶する電話帳記憶手段と、
前記電話帳記憶手段を参照し、前記電話番号抽出手段によって抽出された電話番号と一致する電話番号が存在する場合に、前記抽出した電話番号に対応付けられた名称を読み出す送信元情報取得手段と、
を更に備え、
前記表示手段は、前記ファイル共有要求の送信元として、前記読み出された名称を表示する携帯電話装置。
【請求項３】
ショートメッセージサービスを用いて送信されたファイル共有要求を受信する受信手段と、
前記受信したファイル共有要求から、送信元の電話番号を抽出する電話番号抽出手段と、
ファイル共有を許可する相手の電話番号を記憶するファイル共有許可記憶手段と、
前記ファイル共有許可記憶手段を参照し、前記抽出したファイル共有要求の送信元の電話番号が前記記憶されている電話番号に一致した場合に、そのファイル共有送信元に対してファイル共有を許可し、一致しない場合にファイル共有送信元に対してファイル共有を拒否するファイル共有許可判定手段と、
を備える携帯電話装置。
【請求項４】
ファイル要求先となる携帯電話を指定してファイル要求の作成を指示するファイル要求先指示手段と、
ショートメッセージサービスを用いたメッセージを生成するショートメッセージ生成手段と、
前記生成されたショートメッセージを送信する送信手段と、
を備え、
前記ファイル要求指示手段によってファイル要求の作成を指示された場合、前記ショートメッセージ作成手段は、前記指定された要求先の携帯電話番号に対するファイル共有要求として、自己のＩＰアドレスを含んだショートメッセージを生成する携帯電話装置。
【請求項５】
ショートメッセージサービスを用いて送信されたファイル共有要求を受信するステップと、
前記受信したファイル共有要求から、送信元の電話番号を抽出するステップと、
前記抽出した電話番号を前記ファイル共有要求の送信元として、ファイル共有の許可の要否を示す表示を行うステップと、
を有する携帯電話装置のファイル共有方法。
【請求項６】
請求項５記載のファイル共有許可方法であって、
前記抽出された電話番号と一致する電話番号が予め記憶された電話帳記憶手段に存在する場合に、前記電話帳記憶手段において前記一致する電話番号に対応付けられた名称を読み出すステップを更に有し、
前記ファイル共有要求の送信元として、前記読み出された名称を表示するファイル共有方法。
【請求項７】
ショートメッセージサービスを用いて送信されたファイル共有要求を受信するステップと、
前記受信したファイル共有要求から、送信元の電話番号を抽出するステップと、
前記抽出したファイル共有要求の送信元の電話番号が予め記憶されたファイル共有を許可する相手の電話番号に一致した場合に、そのファイル共有送信元に対してファイル共有を許可し、一致しない場合にファイル共有送信元に対してファイル共有を拒否するステップと、
を有する携帯電話装置のファイル共有方法。
【請求項８】
ファイル要求先となる携帯電話を指定したファイル要求の作成が指示された場合に、自己のＩＰアドレスを取得するステップと、
前記指定されたファイル要求先の携帯電話を宛先として、前記取得した自己のＩＰアドレスを含めたショートメッセージサービスを用いたショートメッセージを生成するステップと、
前記生成されたショートメッセージをファイル要求として送信するステップと、
を有する携帯電話装置のファイル共有方法。
【発明の詳細な説明】
【技術分野】
【０００１】
本発明は、携帯電話装置及びそのファイル共有方法に関する。
【背景技術】
【０００２】
従来、携帯電話装置間を通信ネットワークで結合し、特定の携帯電話装置が有する情報ファイルを別の携帯電話装置との間で共有するシステムが知られている。装置の形状や対応するインタフェース規格、インタフェースの数に依存することなく、無線通信手段を用いて装置間で記憶領域を共有することが可能な携帯通信端末が開示されている（例えば、特許文献１参照）。また、複数の端末との間でマルチアクセス機能、データ交換が可能なネットワークシステム及び無線端末があった（例えば、特許文献２参照）。
【特許文献１】特開２００４−７２４００号公報
【特許文献２】特開２００４−１５５２４号公報
【発明の開示】
【発明が解決しようとする課題】
【０００３】
ところで、通信ネットワークで接続され、ファイル共有が可能な携帯電話装置の使用者は、ファイルを万人と共有したいと考えることは稀であり、友人、職場同僚などの特定の通信相手に対してのみ共有する場合が多いことが想定される。
【０００４】
しかしながら、上記従来の携帯電話装置にあっては、ある特定の端末に対してのみ制御コマンドの発行を許可するか否かという方法は開示されておらず、利用者が希望する特定の端末に対してのみファイル共有することが難しいという事情があった。
【０００５】
本発明は、上記従来の事情に鑑みてなされたものであって、ファイル共有の利用性を向上可能な携帯電話装置及びそのファイル共有方法を提供することを目的とする。
【課題を解決するための手段】
【０００６】
本発明の携帯電話装置は、ショートメッセージサービスを用いて送信されたファイル共有要求を受信する受信手段と、前記受信したファイル共有要求から、送信元の電話番号を抽出する電話番号抽出手段と、前記抽出した電話番号を前記ファイル共有要求の送信元として、ファイル共有の許可の要否を示す表示を行う表示手段と、を備える。
【０００７】
この構成により、電話番号によりファイル共有を行う相手を特定することが可能となり、また、ファイル共有の要求を受けるたびにファイル共有許可の要否を選択可能となるので、特定の相手に対するファイル共有の利用性を高めることができる。
【０００８】
また、本発明の携帯電話装置は、電話番号と名称とを対応付けて記憶する電話帳記憶手段と、前記電話帳記憶手段を参照し、前記電話番号抽出手段によって抽出された電話番号と一致する電話番号が存在する場合に、前記抽出した電話番号に対応付けられた名称を読み出す送信元情報取得手段と、を更に備え、前記表示手段は、前記ファイル共有要求の送信元として、前記読み出された名称を表示する。
【０００９】
この構成により、予め登録された相手の名称によりファイル共有を行う相手を特定することが可能となるので、特定の相手に対するファイル共有の利用性を高めることができる。
【００１０】
本発明の携帯電話装置は、ショートメッセージサービスを用いて送信されたファイル共有要求を受信する受信手段と、前記受信したファイル共有要求から、送信元の電話番号を抽出する電話番号抽出手段と、ファイル共有を許可する相手の電話番号を記憶するファイル共有許可記憶手段と、前記ファイル共有許可記憶手段を参照し、前記抽出したファイル共有要求の送信元の電話番号が前記記憶されている電話番号に一致した場合に、そのファイル共有送信元に対してファイル共有を許可し、一致しない場合にファイル共有送信元に対してファイル共有を拒否するファイル共有許可判定手段と、を備える。
【００１１】
この構成により、電話番号によりファイル共有を行う相手を特定することが可能となり、また、ファイル共有の要求を受けたときに自動的にファイル共有の許可又は拒否を行うので、特定の相手に対するファイル共有の利用性を高めることができる。
【００１２】
本発明の携帯電話装置は、ファイル要求先となる携帯電話を指定してファイル要求の作成を指示するファイル要求先指示手段と、ショートメッセージサービスを用いたメッセージを生成するショートメッセージ生成手段と、前記生成されたショートメッセージを送信する送信手段と、を備え、前記ファイル要求指示手段によってファイル要求の作成を指示された場合、前記ショートメッセージ作成手段は、前記指定された要求先の携帯電話番号に対するファイル共有要求として、自己のＩＰアドレスを含んだショートメッセージを生成する。
【００１３】
この構成により、電話番号によりファイル共有を行う相手を指定することが可能となるので、特定の相手に対するファイル共有の利用性を高めることができる。
【００１４】
本発明の携帯電話装置のファイル共有方法は、ショートメッセージサービスを用いて送信されたファイル共有要求を受信するステップと、前記受信したファイル共有要求から、送信元の電話番号を抽出するステップと、前記抽出した電話番号を前記ファイル共有要求の送信元として、ファイル共有の許可の要否を示す表示を行うステップと、を有する。
【００１５】
この方法により、電話番号によりファイル共有を行う相手を特定することが可能となり、また、ファイル共有の要求を受けるたびにファイル共有許可の要否を選択可能となるので、特定の相手に対するファイル共有の利用性を高めることができる。
【００１６】
また、本発明の携帯電話のファイル共有方法は、前記抽出された電話番号と一致する電話番号が予め記憶された電話帳記憶手段に存在する場合に、前記電話帳記憶手段において前記一致する電話番号に対応付けられた名称を読み出すステップを更に有し、前記ファイル共有要求の送信元として、前記読み出された名称を表示する。
【００１７】
この方法により、予め登録された相手の名称によりファイル共有を行う相手を特定することが可能となるので、特定の相手に対するファイル共有の利用性を高めることができる。
【００１８】
本発明の携帯電話のファイル共有方法は、ショートメッセージサービスを用いて送信されたファイル共有要求を受信するステップと、前記受信したファイル共有要求から、送信元の電話番号を抽出するステップと、前記抽出したファイル共有要求の送信元の電話番号が予め記憶されたファイル共有を許可する相手の電話番号に一致した場合に、そのファイル共有送信元に対してファイル共有を許可し、一致しない場合にファイル共有送信元に対してファイル共有を拒否するステップと、を有する。
【００１９】
この方法により、電話番号によりファイル共有を行う相手を特定することが可能となり、また、ファイル共有の要求を受けたときに自動的にファイル共有の許可又は拒否を行うので、特定の相手に対するファイル共有の利用性を高めることができる。
【００２０】
本発明の携帯電話のファイル共有方法は、ファイル要求先となる携帯電話を指定したファイル要求の作成が指示された場合に、自己のＩＰアドレスを取得するステップと、前記指定されたファイル要求先の携帯電話を宛先として、前記取得した自己のＩＰアドレスを含めたショートメッセージサービスを用いたショートメッセージを生成するステップと、前記生成されたショートメッセージをファイル要求として送信するステップと、を有する。
【００２１】
この方法により、電話番号によりファイル共有を行う相手を指定することが可能となるので、特定の相手に対するファイル共有の利用性を高めることができる。
【発明の効果】
【００２２】
本発明によれば、ファイル共有の利用性を向上可能な携帯電話装置及びそのファイル共有方法を提供することができる。
【発明を実施するための最良の形態】
【００２３】
（第１の実施形態）
図１は、本発明の第１の実施形態に係る携帯電話装置の概略構成を示す図である。図１に示すように、本発明の実施形態の携帯電話装置は、通信アンテナ１０と、物理通信インタフェース１２と、通信制御部１４と、ファイル共有プロトコル部１６と、ファイルシステム１８と、電話帳アプリケーション２０と、電話帳データベース２２と、ファイル操作アプリケーション２４と、表示部２６と、操作部２８と、を備える。
【００２４】
通信アンテナ１０は、図示しない基地局装置との間で電波を利用して情報通信を行う。物理通信インタフェース１２は、通信アンテナ１０を介して無線通信方式に応じた変復調等の通信処理を行う。通信制御部１４は、物理通信インタフェース１２を介して行われる通信の制御を行う。
【００２５】
ファイル共有プロトコル部１６は、他の携帯電話装置とのファイル共有を行うにあたり、ファイルシステム１８への共有許可や読み出し・書き込み等の制御を行う。ファイルシステム１８は、共有を行うファイル等が、階層的に管理されている。
【００２６】
電話帳アプリケーション２０は、電話番号や名称を対応付けて管理する電話帳情報を管理する。電話帳データベース２２は、電話番号や名称を対応付けて記憶する。
【００２７】
ファイル操作アプリケーション２４は、ファイルシステム１８のファイルを操作するためのアプリケーションである。表示部２６は、携帯電話装置の表示を行う。操作部２８は、例えばテンキーやその他機能キー等を有し、携帯電話装置の各機能を実行するための操作入力を受け付ける。
【００２８】
ここで、本実施形態における他の装置に対するファイル共有は、例えば、ＴＣＰ／ＩＰ（Transmission Control Protocol／Internet Protocol）プロトコルスタックと通信ネットワーク経由の分散ファイルシステムであるネットワークファイルシステム（以下、ＮＦＳ）が用いられる。
【００２９】
次に、本実施形態のファイル共有方法の概要について説明する。例えば、携帯電話装置Ｂが他の携帯電話装置Ａのファイルシステム１８に管理されているファイルの共有を要求する場合、携帯電話装置Ｂは、ショートメッセージサービス（以下ＳＭＳと呼ぶ）を利用してファイル共有の要求を行う。これにより、ファイル共有を許可する携帯電話装置Ａは、ファイル共有を要求する携帯電話を、ＩＰ（Internet Protocol）アドレスではなく電話番号で識別する。更に、あらかじめ携帯電話装置の電話番号、利用者名、等を電話帳データベース２２に登録しておくことにより、電話番号に対応した利用者名によってファイル共有を許可する携帯電話装置を識別する。
【００３０】
ここで、ファイル共有要求に対する判断は、ある携帯電話装置に対して、ひとつの固定した判断基準に基づいて一方的にファイル共有要求の可否を決定するのではなく、ファイル共有要求を受信する毎に、共有するか否かを判断する。したがって、すべての携帯電話装置ではなく特定の携帯電話装置に対してのみ、ファイル共有要求を許可又は拒否することができる。また、許可できる携帯電話装置は、同時にひとつの携帯電話装置に限定されるのではなく、複数の携帯電話装置にファイル共有許可することも可能である。
【００３１】
図２は、携帯電話装置から発信するファイル共有要求の情報表示画面の一例を示す。他者と共有可能なファイルシステムを有する携帯電話装置の使用者は、管理するファイルを、万人と共有したいと考えることは稀であり、通常、友人、職場同僚、等の特定の通信相手の携帯電話装置に対してのみファイル共有することを希望する場合が多い。
【００３２】
この例では、ある携帯電話装置Ａの持つファイルシステムに格納されている情報ファイルを、別の携帯電話装置Ｂと共有し、ファイルの閲覧、編集、等を可能にするかどうかを判断するために、自端末の携帯電話装置Ｂ保持者の名前が例えば「名前太郎」、電話番号が例えば「０９０ＸＸＸＸＹＹＹＹ」から相手端末の携帯電話装置Ａ保持者の名前が例えば「名前次郎」、電話番号が「０９０ＹＹＹＹＸＸＸＸ」へ情報ファイルの共有要求を発信しファイル共有要求画面３０を表示する事例を示す。
【００３３】
ファイル要求を受けた携帯電話装置の表示部２６が表示するファイル共有要求画面３０は、相手端末保持者である携帯電話装置の名前３２、電話番号３４、メッセージ情報３６、等を含む。この例では、相手端末保持者の名前３２として個人名、例えば、「名前次郎」が使用され、電話番号３４には、例えば、「０９０ＹＹＹＹＸＸＸＸ」のように電話番号の識別文字列が使用され、メッセージ情報３６には内容を表す表現、例えば、「ファイル共有要求発信」等が表示される。
【００３４】
図３は、携帯電話装置がファイル共有要求を受信した場合の情報表示画面の一例を示す。ファイル共有要求信号を受信した携帯電話装置が電話帳データベースに登録されている電話番号を検索し、発信元の携帯電話装置の発信者電話番号が電話帳データベースに登録されているか否かを判断し、登録済みであれば発信者名表示画面３８を表示する。
【００３５】
ファイル共有要求を受けた携帯電話装置の発信者名表示画面３８には、表示部２６が表示するメッセージ情報４０、不許可選択情報４２、許可選択情報４４、等を表示する。不許可選択情報４２には、例えば、「（１）許可しない」が表示され、許可選択情報４４には、例えば、「（２）許可する」が表示される。メッセージ情報４０には相手端末保持者である携帯電話装置の名前、例えば、「名前太郎」を含む受信内容を表す表現、例えば、「名前太郎からファイル共有要求を受信しました。ファイル共有を許可しますか。」等が表示される。
【００３６】
ファイル共有要求を受けた携帯電話装置は、ファイル要求を行った携帯電話装置からＳＭＳのメッセージを受信し、ファイル共有要求に対して許可するか否かを決定する。その際、携帯電話装置の電話番号があらかじめ電話帳データベース２２に登録されていない場合には、強制的にその要求を無視するか、又は許可するか否かを決定するために携帯電話装置の不許可選択情報４２又は許可選択情報４４のいずれかを選択する。また、あらかじめ電話帳データベース２２に登録されている電話番号の携帯電話装置からのファイル共有要求であれば、許可するか否かをファイル共有要求を受信する毎にダイアログ表示を用いて選択表示する。
【００３７】
図４は、携帯電話装置がファイル共有要求を受信した場合の情報表示画面の他の例を示す。ファイル共有要求信号を受信した携帯電話装置が電話帳データベースに登録されている電話番号を検索し、発信元の携帯電話装置の発信者電話番号が電話帳データベースに登録されているか否かを判断し、未登録であれば発信者電話番号表示画面４６を表示する。
【００３８】
発信者電話番号表示画面４６には、表示部２６が表示するメッセージ情報４８、不許可選択情報５０、許可選択情報５２、等を含む。メッセージ情報４８にはファイル共有要求を行った携帯電話の電話番号、例えば、「０９０ＸＸＸＸＹＹＹＹ」を含む受信内容を表す表現、例えば、「０９０ＸＸＸＸＹＹＹＹからファイル共有要求を受信しました。ファイル共有を許可しますか。」等が表示される。
【００３９】
不許可選択情報５０には、例えば、「（１）許可しない」が表示され、許可選択情報５２には、例えば、「（２）許可する」が表示される。不許可選択情報５０又は許可選択情報５２のいずれかの選択情報は、後述するように携帯電話装置のファイル共有許可選択処理によって使用される。
【００４０】
図５は、携帯電話装置がファイル共有要求拒否情報を受信した場合のダイアログ表示画面の一例を示す。ファイル共有許可を決定する携帯電話装置からファイル共有要求を拒否する旨の情報を受信した場合、ファイル共有要求を行った携帯電話装置の表示部２６はダイアログ表示画面５４を表示する。ダイアログ表示画面５４は、拒否情報を象徴する拒否マーク５６、メッセージ情報５８、等を表示する。メッセージ情報５８には、相手端末保持者の名前、例えば、「名前次郎」、電話番号、例えば、「０９０ＹＹＹＹＸＸＸＸ」、等を特定し、例えば、「名前次郎（又は、０９０ＹＹＹＹＸＸＸＸ）からファイル共有を拒否されました」、等のダイアログ表示する。
【００４１】
図６は、本発明の第１の実施形態に係る携帯電話装置のファイル共有方法を示す図である。なお、携帯電話装置Ｂから携帯電話装置Ａへファイル共有要求を行い、また、携帯電話装置Ａ及び携帯電話装置Ｂは、図１に示された構成を有する場合を例にとって説明する。
【００４２】
まず、携帯電話装置Ｂから携帯電話装置Ａへファイル共有要求を行うとき、携帯電話装置Ｂの使用者は、操作部２８を操作して、ファイル共有要求先となる宛先を指定して、例えば図２に示すようなファイル共有画面３０の表示画面を表示された後に、ファイル共有要求を送信する（ステップＳ１）。なお、宛先は、操作部２８から直接電話番号を入力することで指定されてもよいし、電話帳アプリケーション２０を起動し、電話帳データベース２２に記憶されている名称等から検索して指定されてもよい。そして、通信制御部１４は、操作部２８からファイル共有要求の送信が指示されると、携帯電話装置Ａに対し、自装置のＩＰアドレスを含んだショートメッセージを作成し、物理通信インタフェース１２及びアンテナ１０を介してＳＭＳを用いて携帯電話装置Ａへ送信することにより、携帯電話装置Ａのファイルシステムに対する共有要求を行う。
【００４３】
次に、携帯電話装置Ａにおいて、通信制御部１４が、アンテナ１０及び物理通信インタフェース１２を介してファイル共有要求を受信すると（ステップＳ２）、ファイル共有要求のショートメッセージからその送信元となる携帯電話装置Ｂの電話番号の抽出処理を実行し、電話帳アプリケーション２０を起動して電話帳データベース２２を参照し、電話帳データベース２２に抽出された電話番号が登録されているかを検索する（ステップＳ３）。
【００４４】
そして、送信元となる携帯電話装置Ｂの電話番号が電話帳データベース２２に登録されていれば（ステップＳ４のＹＥＳ）、表示部２６に抽出した電話番号に対応付けられた名称を読み出し、その発信者の名前を含む発信者名表示画面３８を表示する（ステップＳ５）。一方、携帯電話装置Ｂの発信者電話番号が電話帳データベース２２に登録されていなければ（ステップＳ４のＮＯ）、表示部２６に発信者の電話番号、例えば、「０９０ＸＸＸＸＹＹＹＹ」等を含む発信者電話番号表示画面４６を表示する（ステップＳ６）。
【００４５】
次に、携帯電話装置Ａの使用者は、表示部２６の表示から、操作部２８を操作して、ファイル共有を行うか否かを選択する（ステップＳ７）。
【００４６】
操作部２８により「（１）許可しない」の選択が入力されれば（ステップＳ８のＮＯ）、通信制御部１４は、携帯電話装置Ｂに対してファイル共有を不許可とする情報を送信し、携帯電話装置Ｂの通信制御部１４はその不許可情報を受信すると表示部２６に拒否ダイアログを表示させる（ステップＳ９）。
【００４７】
一方、操作部２８により「（２）許可する」の選択が入力されれば（ステップＳ８のＹＥＳ）、例えばリナックス（Ｌｉｎｕｘ）のＮＦＳコマンド発行によるファイルシステム公開処理を実行し、ファイル共有要求メッセージに含まれる発信元携帯電話装置ＢのＩＰアドレスに対し、ファイルシステムを公開する（ステップＳ１０）。このとき、携帯電話装置Ａのファイル共有プロトコル部１６は、あらかじめ定められた共有用ディレクトリを公開するコマンドを発行し、携帯電話装置Ｂに対してファイル共有を許可する。
【００４８】
次いで、通信制御部１４は、ファイル共有要求の送信元の携帯電話装置Ｂに対し、ファイル共有を許可するメッセージを返信する（ステップＳ１１）。その際、発信元の自端末のＩＰアドレスがそのメッセージに含まれる。
【００４９】
次に、携帯電話装置Ｂのファイル共有プロトコル部１６は、返信メッセージに含まれているＩＰアドレスに対し、ディスクなどの周辺機器をパソコンに認識させ操作可能にするために、例えばＬｉｎｕｘのＮＦＳではマウント（ｍｏｕｎｔ）のファイルシステム共有コマンドを発行する（ステップＳ１２）。したがって、携帯電話装置Ｂは、携帯電話装置Ａのファイルシステムをマウントするコマンドを発行することにより、携帯電話装置Ａのファイルを携帯電話装置Ｂにて閲覧・編集することが可能となる。
【００５０】
このような本発明の第１の実施形態によれば、利用者はキーボードやマウスなど機器操作、文字入力、データや情報を処理するためのＩＰアドレス等のコンピュータリテラシを意識しないで、容易に携帯電話装置のファイル共有要求の許可又は拒否の判断操作ができる。
【００５１】
（第２の実施形態）
図７は、本発明の第２の実施形態に係る携帯電話装置のファイル共有方法を示す図である。図７において、第１の実施形態で説明した図６と重複する部分については、同一の符号を付す。なお、本発明の第２の実施形態の携帯電話装置は、図１に示した構成を有する。
【００５２】
図７に示すように、携帯電話装置Ａは、ファイル共有要求を受信して、その電話番号を抽出すると、抽出された電話番号が共有許可登録されているか否かを判断する（ステップＳ２１）。この共有許可登録は、あらかじめ携帯電話装置Ａの使用者が、ファイル共有を許可する相手を電話帳データベース２２に登録しておく。そして、通信制御部１４は、ファイル共有要求を受信すると、電話帳アプリケーション２０を起動し、受信したファイル共有要求の送信元である電話番号が共有許可登録されているかを判断する。
【００５３】
そして、ファイル共有要求の送信元が共有許可登録されていなければ（ステップＳ２１のＮＯ）、通信制御部１４は、携帯電話装置Ｂに対してファイル共有を不許可とする情報を送信し、携帯電話装置Ｂの通信制御部１４はその不許可情報を受信すると表示部２６に拒否ダイアログを表示させる（ステップＳ２２）。一方、ファイル共有要求の送信元が共有許可登録されていれば（ステップＳ２１のＮＯ）、ステップＳ１０に進み、ファイル共有処理を行う。
【００５４】
このような本発明の第２の実施形態によれば、電話番号によりファイル共有を行う相手を特定することが可能となり、また、ファイル共有の要求を受けたときに自動的にファイル共有の許可又は拒否を行うので、特定の相手に対するファイル共有の利用性を高めることができる。
【産業上の利用可能性】
【００５５】
本発明のファイル共有方法は、ファイル共有の利用性を向上可能な効果を有し、携帯電話装置等に有用である。
【図面の簡単な説明】
【００５６】
【図１】本発明の第１の実施形態に係る携帯電話装置の概略構成を示す図
【図２】携帯電話装置から発信するファイル共有要求の情報表示画面の一例を示す図
【図３】ファイル共有要求を受信した場合の情報表示画面の一例を示す図
【図４】ファイル共有要求を受信した場合の情報表示画面の他の例を示す図
【図５】ファイル共有要求拒否情報を受信した場合のダイアログ表示画面の一例を示す図
【図６】本発明の第１の実施形態に係る携帯電話装置のファイル共有方法を示す図
【図７】本発明の第２の実施形態に係る携帯電話装置のファイル共有方法を示す図
【符号の説明】
【００５７】
１０  通信アンテナ
１４  通信制御部
１６  ファイル共有プロトコル部
１８  ファイルシステム
２０  電話帳アプリケーション
２２  電話帳データベース
２４  ファイル操作アプリケーション
２６  表示部
２８  操作部
【図１】
2006140790.tif 000003
【図２】
2006140790.tif 000004
【図３】
2006140790.tif 000005
【図４】
2006140790.tif 000006
【図５】
2006140790.tif 000007
【図６】
2006140790.tif 000008
【図７】
2006140790.tif 000009